(57)【要約】      （修正有）【課題】オフィスのスペースを有効に利用し得る天板付家具を提供する。【解決手段】本実施形態に斯かるデスク１は、固定天板を天板固定支持体ごと支持体２に対して着脱することが可能なものとなっている。そしてデスク１は、支持体２から下方に延出し当該支持体２を支持する脚体３と、脚体３すなわち後述する端部脚３１並びに中間脚３２の少なくとも下端に取り付けられ、当該支持体２に隔てられた両側にそれぞれ延出する複数の脚羽根６すなわち後述する端脚羽根６１並びに中脚羽根６２と、脚体３と複数の脚羽根６とを選択的に着脱し得る着脱機構Ｘとを少なくとも具備することを特徴とする。【選択図】図２
2008245702.tif 000002
【特許請求の範囲】
【請求項１】
支持体と、当該支持体に隔てられた両側において当該支持体に支持されるとともに少なくとも一方を前記支持体に着脱可能に支持される天板と、
前記支持体から下方に延出し当該支持体を支持する脚体と、
前記脚体の少なくとも下端に取り付けられ、当該支持体に隔てられた両側にそれぞれ延出する複数の脚羽根と、
前記脚体と前記複数の脚羽根とを選択的に着脱し得る着脱機構とを少なくとも具備することを特徴とする天板付家具。
【請求項２】
着脱機構を、前記脚体と前記脚羽根とを係合させ得る係合手段と、前記脚体と前記脚羽根との接合面に対して傾斜方向に締結する傾斜締結手段とを有するものとしている請求項１記載の天板付家具。
【請求項３】
前記傾斜締結手段を、前記脚羽根及び前記脚体の内部に設けている請求項２記載の天板付家具。
【請求項４】
前記傾斜締結手段の少なくとも一部を前記脚羽根及び前記脚体とは別体に設けている請求項２記載の天板付家具。
【請求項５】
前記傾斜締結手段を、単一のボルトによって前記脚羽根及び前記脚体とを締結し得るものとしている請求項２、３又は４記載の天板付家具。
【請求項６】
支持体を長手方向に複数連結しているものであって、
前記複数の支持体の端部を支持する端部脚と、連結部に設けた中間脚とを有するものとし、
前記脚羽根を、前記端部脚の略高に亘って起立する立壁状脚羽根と、前記中間脚の下端部に取り付け得る棒状脚羽根とを有するものとしている請求項１、２、３、４又は５記載の天板付家具。
【発明の詳細な説明】
【技術分野】
【０００１】
本発明は、支持体に天板を支持させてなる天板付家具に関するものである。
【背景技術】
【０００２】
従来、天板付家具等において、天板を支持している支持体を脚体によって下方から支持するものが種々提案されている。
【０００３】
これらのものは、脚体の下端部から、例えば支持体の延出方向から平面視交差する方向に延びる脚羽根を取り付ける事により、脚体の倒伏を有効に防止することができる家具が開示されている（例えば、特許文献１参照）。
【特許文献１】特開２００４−１５９７１３号公報
【発明の開示】
【発明が解決しようとする課題】
【０００４】
しかしながら、壁等に支持体を添接させたいときには脚羽根が邪魔になってしまうことにより、壁などに突き当たった脚羽根の先端部分から脚体までの距離だけ、
支持体と壁体との間にスペースが出来てしまうこととなる。そしてそのスペースの分だけ天板を壁等の方向へ寄せる事ができないため、結果として、オフィスのスペースを有効に利用し得ないものとなってしまう。また、勿論、壁に当接させなくとも支持体の一方のみに天板を支持させている場合においても、他方に伸びる脚羽根がスペースを取ることとなるため、当該脚羽根の周囲のスペースを有効に利用出来ないものとなってしまう。
【０００５】
本発明は、このような不具合に着目したものであり、オフィスのスペースを有効に利用し得る天板付家具を提供する。
【課題を解決するための手段】
【０００６】
本発明は、このような目的を達成するために、次のような手段を講じたものである。すなわち、本発明に係る天板付家具は、支持体と、当該支持体に隔てられた両側において当該支持体に支持されるとともに少なくとも一方を前記支持体に着脱可能に支持される天板と、前記支持体から下方に延出し当該支持体を支持する脚体と、前記脚体の少なくとも下端に取り付けられ、当該支持体に隔てられた両側にそれぞれ延出する複数の脚羽根と、前記脚体と前記複数の脚羽根とを選択的に着脱し得る着脱機構とを少なくとも具備することを特徴とする。
【０００７】
このようなものであれば、壁等に向かって延出する脚羽根を適宜取り外すことにより、支持体を壁などに添接させて使用する事が可能となる。そうすることにより、オフィス内のスペースを有効利用することが可能なものとすることができる。
【０００８】
そして、脚羽根を正確且つ確実に取り付ける為には、着脱機構を、脚体と脚羽根とを係合させ得る係合手段と、脚体と脚羽根との接合面に対して傾斜方向に締結する傾斜締結手段とを有するものとすることが望ましい。ここで、傾斜締結手段を採用することにより、脚体に対する脚羽根の引き寄せ方向の操作力と、脚体に対する脚羽根を位置決めする方向の操作力を同時に発生させることができる。
【０００９】
傾斜締結手段を、脚羽根及び脚体の内部にそれぞれ設けたものとすれば、簡便に締結し得るものとなる。また、傾斜締結手段の少なくとも一部を脚羽根及び脚体とは別体に設けたものとすれば、締結位置を決定する設計自由度を向上させ得るものとなる。
【００１０】
傾斜締結手段をより迅速且つ簡便に締結し得るものとするためには、単一のボルトによって脚羽根及び脚体とを締結し得るものとすることが好ましい。
【００１１】
そして、本発明の具体的な構成として、支持体を長手方向に複数連結しているものであって、複数の支持体の端部を支持する端部脚と、連結部に設けた中間脚とを有するものとし、脚羽根を、端部脚の略全高に亘って起立する立壁状脚羽根と、中間脚の下端部に取り付け得る棒状脚羽根とを有するものとして、支持体の端部においてより確実に脚体を支持しうるものとするとともに、連結部において、天板下方の下肢空間を有効に確保し得るものとすることができる。
【発明の効果】
【００１２】
本発明によれば、壁等に向かって延出する脚羽根を適宜取り外した状態として天板付家具をオフィス内の所望の位置へ設置することができる。すなわち、支持体を壁などに添接させて配置し、使用する事が可能となる。そうすることにより、脚羽根が邪魔となって支持体が壁等に添接し得ないといった不具合を有効に回避する事で、オフィス内のスペースを有効利用することが可能なものとすることができる。
【発明を実施するための最良の形態】
【００１３】
本実施形態に係る天板付家具たるデスク１は、図１及び図２に示めされるものである。なお同図において、後述する端脚羽根６１及び中脚羽根６２には化粧カバーを取り付けた状態を示している。
【００１４】
このデスク１は、図１に示すように、水平方向に延伸する支持体２２を長手方向に複数連結しているものであって、複数の支持体２の端部を支持する端部脚３１と、連結部に設けた中間脚３２とからなる脚体３を有するものとしている。そして複数連結した支持体２に沿ってスライド移動自在に支持されたブラケット４と、ブラケット４に一端部を支持させた可動天板５と、可動天板５の他端部を支持し床面上に接地する脚体３６と、支持体２に沿ってスライド移動不能に支持された天板固定支持体４Ｘと、天板固定支持体４Ｘに一端部を支持させた固定天板５Ｘとを備えたものである。また本実施形態では図１に示すように、支持体２に沿ってスライド移動自在に支持されたオプション可動支持体に支持させたデスクトップパネルＯＰを取り付けることも可能である。また、本実施形態では支持体２を２台連設して形成した態様を示すものであるが、支持体２を一本のみでデスク１を構成したり、三本以上の支持体２をそれぞれ連結してデスク１を構成したりしてもよい。
【００１５】
図２は、斯かるデスク１を、例えば壁面やパーティションなどの壁体Ｗに支持体２を添接させて配置した状態を示している。つまり本実施形態に斯かるデスク１は、固定天板５Ｘを天板固定支持体４Ｘごと支持体２に対して着脱することが可能なものとなっている。
【００１６】
ここで、本実施形態に係る天板付家具たるデスク１は、支持体２から下方に延出し当該支持体２を支持する脚体３と、脚体３すなわち後述する端部脚３１並びに中間脚３２の少なくとも下端に取り付けられ、当該支持体２に隔てられた両側にそれぞれ延出する複数の脚羽根６すなわち後述する端脚羽根６１並びに中脚羽根６２と、脚体３と複数の脚羽根６とを選択的に着脱し得る着脱機構Ｘ１、Ｘ２とを少なくとも具備することを特徴とする。
【００１７】
以下、斯かるデスク１における、脚体３、脚羽根６の構成について、具体的に説明する。
【００１８】
脚体３は、図３、図４、図５及び図６に示すように支持体２から下方に延出し当該支持体２を支持するものであり、本実施形態では、支持体２の端部を支持している端部脚３１と、支持体２の連結部２ｒを下方から支持している中間脚３２とを有するものとなっている。
【００１９】
中間脚３２は、図３及び図４に示すように、後述する連結具７を掛ける為の掛け穴３２１と、後述する爪部６２３を挿入する一対の爪受け穴３２２と、後述する接合部材７をビス止めするためのビス受け穴３２３を設けている。
【００２０】
端部脚３１は、図５及び図６に示すように、端脚羽根６１と係合するための上係合穴３１１及び下係合穴３１２と、上係合穴３１１の内方に設けられた傾斜板ナット３１３とを少なくとも有している。
【００２１】
脚羽根６は、図３、図４、図５及び図６に示すように、脚体３の少なくとも下端に取り付けられ、当該支持体２に隔てられた両側にそれぞれ複数延出するものである。具体的には、端部脚３１の略全高に亘って起立する立壁状脚羽根たる端脚羽根６１と、中間脚３２の下端部に取り付け得る棒状脚羽根たる中脚羽根６２とを有するものとしている。
【００２２】
中脚羽根６２は、図３及び図４に示すように、端面３２ａ、６２ａから傾斜させた方向にボルトを挿入し得るボルト挿入部６２１と、中間脚３２の爪受け穴６２２に係合し得る係合爪とを少なくとも有している。
【００２３】
そして本実施形態では、図４に示すように、中間脚３２に中脚羽根６２を取り付けるために、中脚羽根６２及び中間脚３２とは別体である連結具７を採用している。
【００２４】
連結具７は、例えば板金の折曲げにより構成されたもので、中間脚３２の爪受け穴３２２に挿入する掛け爪７１と、中間脚３２の接合面３１ａに対して傾斜方向にボルトＢを締結し得る傾斜ナット７２と、中間脚３２に取り付けるためのビスｂを挿通させるビス穴７３を少なくとも有している。
【００２５】
また端脚羽根６１は、図５及び図６に示すように、接合面６１ａの上端付近に設けた上方爪６１１と、接合面６１ａの下端付近に設けた下方爪６１２と、端脚羽根６１の上方から、接合面６１ａから傾斜させた方向にボルトＢを挿入し得るボルト挿入部６１３とを少なくとも有している。
【００２６】
ここで、本実施形態に係るデスク１は、上述の通り、脚体３に対して複数の脚羽根６を選択的に着脱し得る着脱機構Ｘ１、Ｘ２を具備することを特徴とするものである。以下、着脱機構Ｘ１、Ｘ２の構成について説明する。
【００２７】
着脱機構Ｘ１、Ｘ２は、脚体３と脚羽根６とを係合させ得る係合手段、Ｘ２１と、脚体３と脚羽根６との接合面に対して傾斜方向に締結する傾斜締結手段Ｘ２１、Ｘ２２とを主に有している。
【００２８】
図３又は図４に示すように、中間脚３２並びに中脚羽根６２において、係合手段Ｘ２１は、中脚羽根６２の係合爪６２２及び中間脚３２の爪受け穴３２２によって構成されるものとしている。他方、傾斜締結手段Ｘ２２は、中脚羽根６２及び中間脚３２とは別体である連結具７の傾斜ナット７２と、中脚羽根６２のボルト挿入部６２１によって構成している。また傾斜締結手段Ｘ２２は、単一のボルトＢによって中間脚３２と中脚羽根６２とを締結し得るものとしている。そして、斯かる傾斜締結手段Ｘ２２によって、ボルトＢを締結することにより、連結具７２側の傾斜ナット７２の表面と、中脚羽根６２のボルト挿入部６２１の裏面とが接合面６１ａ、３１ａから傾斜した方向に強固に引き寄せられる。そうすることにより、当該傾斜方向にける接合面６１ａ、３１ａ同士を引き寄せる分力で中脚羽根６２を中間脚３２へ確実に取り付けることとなる。加えて、前記傾斜方向における上下方向の分力により、爪受け穴３２２と、係合爪６２２とを上下方向に確実に係り合わせることによって、中間脚３２に対する中脚羽根６２の位置決めを正確に行う事ができる。すなわち、斯かる傾斜締結手段Ｘ２２は、単一のボルトＢによる傾斜方向の締結のみで、中間脚３２に対する中脚羽根６２の確実な取付と、正確な位置決めとを同時に行なうことを可能にしている。
【００２９】
また図５又は図６に示すように、端部脚３１並びに端脚羽根６１において、係合手段はＸ１１、端脚羽根６１の上方爪６１１及び下方爪６１２と、端部脚３１の上係合穴３１１及び下係合穴３１２によって構成されるものである。そして傾斜締結手段Ｘ１２は、端脚羽根６１のボルト挿入部６１３と、端部脚３１の傾斜板ナット３１３によって構成されるものとしている。すなわち端部脚３１並びに端脚羽根６１において、傾斜締結手段Ｘ１２は、脚羽根６及び脚体３の内部に設けたものとしている。また傾斜締結手段Ｘ１２は単一のボルトによって端部脚３１と端脚羽根６１とを締結し得るものとなっている。
【００３０】
以上のような構成とすることにより、本実施形態に係る天板付家具たるデスク１は、壁等に向かって延出する脚羽根６を適宜取り外すことにより、図２に示すように支持体２を壁体Ｗなどに添接させて使用することにより、オフィス内のスペースを有効利用することが可能なものとなっている。
【００３１】
そして、着脱機構Ｘ１、Ｘ２を、脚体３と脚羽根６とを係合させ得る係合手段Ｘ１１、Ｘ１２と、脚体３と脚羽根６との接合面３１ａ、３２ａ、６１ａ、６２ａに対して傾斜方向に締結する傾斜締結手段Ｘ２１、Ｘ２２とを有するものとしているので、脚羽根６を正確且つ確実に取り付けることができるものとなっている。特に、傾斜締結手段Ｘ２１、Ｘ２２を採用することによって、脚体３に対する脚羽根６の引き寄せ方向の操作力と、脚体３に対する脚羽根６を位置決めする方向の操作力を同時に発生させることができる。
【００３２】
また端部脚３１側の着脱機構Ｘ１における傾斜締結手段Ｘ１２を、脚羽根６及び脚体３の内部にそれぞれ設けたものとすることによって簡便に締結し得るものとなっている。他方中間脚３２側の着脱機構Ｘ２における傾斜締結手段Ｘ２２の少なくとも一部として、脚羽根６及び脚体３とは別体に設けた連結具７を採用することにより、使用者にとってボルトＢを取り付けやすい位置に傾斜連結手段Ｘ２２を位置付けたものとなっている。
【００３３】
傾斜締結手段Ｘ１２、Ｘ２２は、単一のボルトによって脚羽根６及び脚体３とを締結し得るものとなっているので、迅速且つ簡便に脚体３に脚羽根６を締結し得るものとなっている。
【００３４】
そして、本実施形態では、支持体２を長手方向に複数連結している構成を採用したデスク１とし、複数の支持体２の端部を支持する端部脚３１と、連結部２ｒに設けた中間脚３２とを有するものとしている。そして、脚羽根６を、端部脚３１の略全高に亘って起立する立壁状脚羽根たる端脚羽根６１と、中間脚３２の下端部に取り付け得る棒状脚羽根たる中脚羽根６２とを有するものとして、支持体２の端部においてより確実に脚体３を支持しうるものとするとともに、連結部２ｒにおいて、可動天板５下方の下肢空間を有効に確保し得るものとしている。
【００３５】
以上、本発明の実施形態について説明したが、各部の具体的な構成は、上述した実施形態のみに限定されるものではなく、本発明の趣旨を逸脱しない範囲で種々変形が可能である。
【００３６】
例えば、本実施形態では支持体のほんの一例として、天板を支持し得る、所謂横架フレームの構成を採用したが、本発明は当該横架フレームのようなものに限られる事はなく、既存の種々の家具に適用する事が可能である。例えば、パネルやパーティションといった他の家具に対しても、好適に適用し得るものである。
【００３７】
また本実施形態では支持体に対して当該支持体を隔てた両方に天板を配置し得るものとなっていたが、本発明は当該実施形態に限定されるものでは無く、支持体に隔てられた片方にのみ天板を取り付けたものであっても、脚羽根を選択的に取り外す事ができる構成を採用したものをも含むものである。また、脚羽根を取り付ける構造は、傾斜方向に締結する態様に限られるものではなく、他の種々の態様を採用することができる。
【００３８】
その他、各部の具体的構成についても上記実施形態に限られるものではなく、本発明の趣旨を逸脱しない範囲で種々変形が可能である。
【図面の簡単な説明】
【００３９】
【図１】本発明の一実施形態に係る外観図。
【図２】同実施形態に係る作用を示す外観図。
【図３】同実施形態に係る要部拡大図。
【図４】同実施形態に係る構成説明図。
【図５】同実施形態に係る要部拡大図。
【図６】同実施形態に係る構成説明図。
【符号の説明】
【００４０】
１…天板付家具（デスク）
２…支持体
２ｒ…連結部
３…脚体
３１…端部脚
３２…中間脚
５Ｘ…天板（固定天板）
６…脚羽根
６１…立壁状脚羽根（端脚羽根）
６２…棒状脚羽根（中脚羽根）
３１ａ、３２ａ、６１ａ、６２ａ…接合面
Ｘ１、Ｘ２…着脱機構
Ｘ１１、Ｘ２１…係合手段
Ｘ２１、Ｘ２２…傾斜締結手段
【図１】
2008245702.tif 000003
【図２】
2008245702.tif 000004
【図３】
2008245702.tif 000005
【図４】
2008245702.tif 000006
【図５】
2008245702.tif 000007
【図６】
2008245702.tif 000008